(57)【要約】【課題】参照サーバを必要としない、ＩＳＤＮ回線を必要としない、記憶容量が小さい端末を使用できる、通信システムを提供する。【解決手段】電話機能部１３と、制御部９と、記憶部１２とを各々有し、自機と他機からなる複数の端末８と、各端末８に接続された通信ネットワーク３とを備え、各端末８は、各端末８の近似電話番号と、該近似電話番号の範囲に属する端末のＩＰアドレスとからなる分散データを、各々分割して記憶し、自機の近似電話番号の範囲に属する端末の電話番号と、該電話番号に対応するＩＰアドレスとからなる組合せデータを記憶する。前記自機に電話番号が入力された場合、前記自機は、前記電話番号の近似電話番号を基に、自機の分散データ又は他機の分散データを検索し前記組合せデータを検索する事により、前記電話番号に対応するＩＰアドレスを取得する。【選択図】        図２
2004336362.tif 000002
【特許請求の範囲】
【請求項１】
電話機能部と、制御部と、記憶部とを各々有し、自機と他機からなる複数の端末と、各端末に接続された通信ネットワークとを備え、各端末は、各端末の近似電話番号と、該近似電話番号の範囲に属する端末のＩＰアドレスとからなる分散データを、各々分割して記憶し、自機の近似電話番号の範囲に属する端末の電話番号と、該電話番号に対応するＩＰアドレスとからなる組合せデータを記憶する事を特徴とする通信システム。
【請求項２】
前記自機に電話番号が入力された場合、前記自機は、前記電話番号の近似電話番号を基に、自機の分散データ又は他機の分散データを検索し前記組合せデータを検索する事により、前記電話番号に対応するＩＰアドレスを取得する事を特徴とする請求項１の通信システム。
【請求項３】
前記端末は、前記近似電話番号に属する端末の数が所定数を越えた場合、前記近似電話番号の範囲を分割し、前記近似電話番号を変更し、前記分散データを変更し、変更された近似電話番号以外の端末に対し、前記変更された分散データを更新させる事を特徴とする請求項１の通信システム。
【請求項４】
前記端末と互換性がある機器が前記通信ネットワークに接続され、前記端末および前記機器は、前記分散データを各々分割して記憶し、前記組合せデータを記憶する事を特徴とする請求項１の通信システム。
【請求項５】
新規の端末は、前記端末および前記機器が保有し、かつ、仕向け先地に適合した分散データおよび組合せデータを、出荷前に、予め記憶される事を特徴とする請求項４の通信システム。
【請求項６】
前記自機は、前記通信ネットワークに対し、アクセスが開始された時点において、該時点での新しい分散データおよび組合せデータを前記他機からコピーし、かつ、前記近似電話番号を有する他機に対し、前記自機の電話番号およびＩＰアドレスを登録させ、かつ、前記近似電話番号を有しない他機に対し所定時間毎に、互いの分散データを相互に更新する事を特徴とする請求項１の通信システム。
【請求項７】
前記自機は、特定の範囲の近似電話番号への発呼が多いことを認識した場合に、前記特定の範囲における分散データおよび組合せデータを別途に記憶し、又は、上記両データを上書きして記憶することを特徴とする請求項１の通信システム。
【発明の詳細な説明】
【０００１】
【発明の属する技術分野】
本発明は通信システムに関する。
【０００２】
【従来の技術】
従来、各端末が通信ネットワークに接続され、参照サーバも通信ネットワークに接続されている。そして、ある端末の電話番号が入力されると、参照サーバから、上記端末に対し、上記電話番号に対応するＩＰアドレスが送信されている。
このＩＰアドレスにより，上記端末は他の端末に対し、インターネット電話ができる。
【０００３】
しかし、各端末のユーザは参照サーバの管理者に対し、使用料を支払う、第１の欠点がある。また、参照サーバがトラブルを起こした場合、広域に渡って、全ての端末が通信不能となる、第２の欠点がある。上記欠点を解消するために、特許文献１によると、ＩＳＤＮ回線を用いて、自機のＩＰアドレスを他機へ送信する。他機は、上記ＩＰアドレスを用い、インターネットを介して、自機に対し、インターネット電話をすることができる。
【０００４】
【特許文献１】
特開平１０−３２２３９１号公報
【０００５】
【発明が解決しようとする課題】
しかし、上記システムにおいても、自機のユーザは、ＩＳＤＮ回線の使用料を支払う、第３の欠点がある。また、自機は上記方法により、複数の他機のＩＰアドレスを記憶する必要があり、記憶容量が大きい事が要求され、端末がコスト高になる、第４の欠点がある。
【０００６】
そこで、本発明はこの様な従来の欠点を考慮し、参照サーバを必要としない、ＩＳＤＮ回線を必要としない、記憶容量が小さい端末を使用できる、通信システムを提供する。
【０００７】
【課題を解決するための手段】
上記課題を解決するために、請求項１の本発明では、電話機能部と、制御部と、記憶部とを各々有し、自機と他機からなる複数の端末と、各端末に接続された通信ネットワークとを備え、各端末は、各端末の近似電話番号と、該近似電話番号の範囲に属する端末のＩＰアドレスとからなる分散データを、各々分割して記憶し、自機の近似電話番号の範囲に属する端末の電話番号と、該電話番号に対応するＩＰアドレスとからなる組合せデータを記憶する。
【０００８】
請求項２の本発明では、前記自機に電話番号が入力された場合、前記自機は、前記電話番号の近似電話番号を基に、自機の分散データ又は他機の分散データを検索し前記組合せデータを検索する事により、前記電話番号に対応するＩＰアドレスを取得する。
【０００９】
請求項３の本発明では、前記端末は、前記近似電話番号に属する端末の数が所定数を越えた場合、前記近似電話番号の範囲を分割し、前記近似電話番号を変更し、前記分散データを変更し、変更された近似電話番号以外の端末に対し、前記変更された分散データを更新させる。
【００１０】
請求項４の本発明では、前記端末と互換性がある機器が前記通信ネットワークに接続され、前記端末および前記機器は、前記分散データを各々分割して記憶し、前記組合せデータを記憶する。
【００１１】
請求項５の本発明では、新規の端末は、前記端末および前記機器が保有し、かつ、仕向け先地に適合した分散データおよび組合せデータを、出荷前に、予め記憶される。
【００１２】
請求項６の本発明では、前記自機は、前記通信ネットワークに対し、アクセスが開始された時点において、該時点での新しい分散データおよび組合せデータを前記他機からコピーし、かつ、前記近似電話番号を有する他機に対し、前記自機の電話番号およびＩＰアドレスを登録させ、かつ、前記近似電話番号を有しない他機に対し所定時間毎に、互いの分散データを相互に更新する。
【００１３】
請求項７の本発明では、前記自機は、特定の範囲の近似電話番号への発呼が多いことを認識した場合に、前記特定の範囲における分散データおよび組合せデータを別途に記憶し、又は、上記両データを上書きして記憶する。
【００１４】
【発明の実施の形態】
以下、図１ないし図３に従い、本発明の実地の形態に係る通信システムを説明する。図１は上記通信システム１の概略図、図２は通信システム１に用いられる端末のブロック図、図３は上記端末に記憶されたデータを示す図面である。
【００１５】
図１において、自機２は、インターネットサービスプロバイダのサーバ（図示せず）を介して、通信ネットワーク３（例えば、インターネットのこと）に接続されている。
【００１６】
同様に、他機４，５は、インターネットサービスプロバイダのサーバ（図示せず）を介して、通信ネットワーク３（例えば、インターネットのこと）に接続されている。また、自機２と、他機４は共に、一般電話網６に接続されている。
【００１７】
更に、従来電話（インターネット電話でないもの）７は、一般電話網６に接続されている。これらの自機２と、他機４，５とを合わせて、端末８と呼ぶ。
【００１８】
図２において、端末８を構成する制御部９は例えばＭＰＵからなり、後述の各部品を制御する。
【００１９】
ＲＯＭ１０はリードオンリーメモリであり、例えば、制御部９の制御プログラムが記憶されている。ＲＡＭ１１は、ランダムアクセスメモリであり、各種データ（後述）を記憶するものである。これらのＲＯＭ１０とＲＡＭ１１とにより、記憶部１２が構成されている。
【００２０】
電話機能部１３は例えば、表示部１４と、送受話部１５と、テンキー１６等からなる。表示部１４は例えば、液晶表示器等からなる。送受話部１５は例えば、ハンドセット部と、スピーカと、マイクロホン（共に図示せず）等からなる。
【００２１】
ハンドセット部は、データバス１７から受信したディジタル音声データをＤ／Ａ変換し、アナログ音声信号に変換し、スピーカに出力する。またハンドセット部は、マイクロホンから入力された音声信号をＡ／Ｄ変換し、データバス１７に出力する。
【００２２】
通信部１８は、制御部９の制御の下に、通信ネットワーク３を経由して送られるデータに対し、プロトコル処理する。また、通信部１８は、制御部９の制御の下に、データを生成し、通信ネットワーク３に対し、そのデータを送信する。
【００２３】
従来電話通信部１９は、一般電話網６を経由して送られるデータを処理し、データバス１７に出力する。また、従来電話通信部１９は、データを生成し、一般電話網６に対し、そのデータを送信する。
【００２４】
以上の部品により、この端末８は構成されている。なお、自機２と、他機４，５の構成は、端末８と同一である。
【００２５】
上記内容をまとめる。電話機能部１３と、制御部９と、記憶部１２とを各々有し、自機２および他機４，５からなる複数の端末８が設けられている。そして、各端末８に接続された通信ネットワーク３が設けられている。
【００２６】
次に、図３に従い、端末８の記憶部１２に記憶された各データを説明する。図３（ａ）は、上記データの中の非共有データ２０を説明する図面、図３（ｂ）は、上記データの中の組合せデータを説明する図面、図３（ｃ）は、上記データの中の分散データを説明する図面である。
【００２７】
図３（ａ）において、非共有データ２０は、端末８のユーザが通信履歴や、登録リストを記録したものであり、他機と共有しないデータである。
【００２８】
図３（ｂ）において、組合せデータ２１は、自機２の近似電話番号２３（上記例では、８１８５７）の範囲に属する端末８の電話番号（上記例では、８１８５７１５０２０と、８１８５７１９１０３０等）と、該電話番号に対応するＩＰアドレス（上記例では、１３４．１８０．２３１．１００と１９４．１０．３３．１５５等）とからなるものである。
【００２９】
例えば、自機２のユーザが日本国鳥取県鳥取市において、自機２を使用しているならば、日本国鳥取県鳥取市にて使用されている電話番号の中で、先頭から５桁までの数字、すなわち、８１８５７までを、近似電話番号と呼ぶ。
【００３０】
そして、上記組合せデータ２１における電話番号は、８１８５７に続く、００−００００から９９−９９９９までの範囲で実在する端末８の電話番号である。
組合せデータ２１におけるＩＰアドレスは、上記電話番号に対応するものである。例えば、このＩＰアドレスが９００個あるものと、仮定する。
【００３１】
この様に、各端末８は、自機２の近似電話番号２３の範囲に属する端末８の電話番号と、該電話番号に対応するＩＰアドレスから成る組合せデータ２１を記憶している。
【００３２】
図３（ｃ）において、分散データ２２は、各端末８の近似電話番号２３（即ち８１８５７）と、２４（即ち８１８５８）と、２５（即ち８１８５９）等により構成されている。
【００３３】
また、分散データ２２において、例えば、近似電話番号２３の範囲に属する端末８のＩＰアドレスが既定の個数（上記例では、４個）が分割して記憶されている。なお、近似電話番号２３の範囲に属する端末８のＩＰアドレスの総数は、上述した様に９００個ある。
【００３４】
従って、上記ＩＰアドレスは、９００個÷４個＝２２５台の端末８が各々分割して、記憶している。
【００３５】
この様に、各端末８は、各端末の近似電話番号と、該近似電話番号の範囲に属する端末８のＩＰアドレスとからなる分散データ２２を、各々、分割して（上記例では、２２５台の端末８が各々分割された、即ち４個ずつのＩＰアドレスを分割して）記憶している。以上により、各端末８のデータ２０，２１，２２は構成されている。
【００３６】
なお、各端末８の記憶部１２の最大記憶容量は、仮に、端末１００００台とし余裕をとって、端末９０００台を所定数とする。
【００３７】
仮に、端末８は、近似電話番号２３に属する端末の数が所定数（９０００台）を越えた場合、近似電話番号２３の桁数を増やし、例えば，８１８５７２とし，近似電話番号を変更する。
【００３８】
この様に、端末８は、近似電話番号２３の範囲を１０に分割し、分散データ２２も変更する。
【００３９】
より狭く規定された、新しい自機２の近似電話番号２３ａ（即ち、８１８５７２）の範囲に当てはまらなくなったデータは無効マーカ７を付け保持され、一定時間経過後に廃棄される。
【００４０】
それと同時に、変更された近似電話番号２３ａ以下の端末８に対し、変更された分散データ２２ａを更新させる。また、上記例では、近似電話番号２３を１０個に分割した。
【００４１】
しかし、例えば、近似電話番号２３を、８１８５７０〜８１８５７５と、８１８５７６〜８１８５７９の様に２分割しても良く、３分割しても良い。この様に近似電話番号２３の範囲を分割することにより、新しい近似電話番号２３ａに属する端末８の個数を減らす事ができる。
【００４２】
更に、図１において、端末８と互換性がある（即ち、端末８と同様の機能を有する）機器２６を通信ネットワーク３に接続しても良い。そして、端末８と機器２６は、分散データ２２を各々分割して記憶し，組合せデータ２１を記憶する。
【００４３】
端末８の出荷開始時等には、通信ネットワーク３に接続された端末８の実機数が少ない状態では、通信が成り立たない。
【００４４】
そのような場合には、端末８の製造メーカや、インターネットサービスプロバイダ等が、機器２６を設ければ良い。この時、端末８と機器２６との間で、分散データ２２を各々、分割して保持させる事により、インターネット電話通信が可能となる。
【００４５】
また、新規の端末は、端末８および機器２６が保有し、かつ、仕向け先地（例えば，日本国鳥取県鳥取市など）に適合した、分散データ２２および組合せデータ２１を予め記憶され、出荷される事が望ましい。
【００４６】
この様に、互換性がある機器２６のデータや、通信ネットワーク３に既に接続された多くの機器２６が存在する場合は、これらにより保持されている最新に近い分散データ２２や、近似電話番号内のデータを、仕向け先地毎に、予め記憶させ出荷させれば良い。上記方法により、スムーズな設置や，通信ネットワーク３上の負荷の軽減を行う事ができる。以上の要素により、この通信システム１は構成されている。
【００４７】
次に、図４のフローチャートに従い、この通信システム１における、発呼動作を説明する。図４において、端末８の制御部９は、待ち受け状態である（Ｓ１参照）。
【００４８】
そして、端末８のユーザが、送受話部１５に設けられたハンドセット（図示せず）を持上げると、制御部９は電話番号入力待ち受け状態になる（Ｓ２参照）。
【００４９】
そして、ユーザが電話番号を入力すると、制御部９は、番号補完動作を行う（Ｓ３参照）。すなわち、制御部９は、上記入力された電話番号や、国番号や市外局番等を省略したと判定すると、上記電話番号に、国番号と市外局番を補完する。
【００５０】
制御部９は、上記補完された電話番号を基に、組合せデータ２１（電話番号とＩＰアドレスの対からなるデータ）を検索する（Ｓ４参照）。
【００５１】
次に、制御部９は、上記組合せデータ２１を基に，該当するＩＰアドレスが有るか否かを判定する（Ｓ５参照）。
【００５２】
仮に、制御部９がＳ５の判定を肯定すれば、ＩＰアドレスへの発呼を行う（Ｓ６参照）。即ち、制御部９は、上記ＩＰアドレスを基に、インターネット電話として発呼する。
【００５３】
仮に、制御部９がＳ５の判定を否定すれば、制御部９は、上記入力された電話番号を基に、一般電話網６に対し、発呼を行う（Ｓ７参照）。
【００５４】
次に、図５のフローチャートを基に、この通信システム１における、電話番号から目的のＩＰアドレスを取得する動作を説明する。
【００５５】
自機２の制御部９は、上記取得動作を開始する（図５のＳ１参照）。次に、制御部９は、自機２に入力された電話番号の近似電話番号が、自機２の近似電話番号２３と同じか否かを判定する（Ｓ２参照）。
【００５６】
仮に、制御部９がＳ２の判定を肯定すると、制御部９は、自機２内の非共有データ２０を検索する（Ｓ３参照）。次に、制御部９は、参照が成功したか否か（即ち、非共有データ２０が有るか否か）を判定する（Ｓ４参照）。
【００５７】
仮に、この非共有データ２０があれば、制御部９は、後述のＳ１４の直前に進む。仮に、非共有データ２０が無ければ、制御部９は後述のＳ５の直前へ進む。
【００５８】
また、入力された電話番号の近似電話番号が、自機２の近似電話番号２３と異なっていれば、制御部９はＳ２の判定を否定する。
【００５９】
次に制御部９は、自機２内の分散データ２２を検索する（Ｓ５参照）。そして制御部９は、自機２内に分散データ２２が有るか否かを判定する（Ｓ６参照）。仮に分散データ２２が無ければ、制御部９はＳ６の判定を否定し、目的ＩＰアドレスが取得できないと、認識する（Ｓ１６参照）。
【００６０】
仮に、自機２内に分散データ２２が有れば、制御部９は、Ｓ６の判定を肯定する。次に、制御部９は、ＩＰアドレスが有るか否かを判定する（Ｓ７参照）。
【００６１】
仮に、自機２に入力された電話番号の近似電話番号２４が８１８５８であり、それに対応するＩＰアドレスがあれば（図３参照）、制御部９はＳ７の判定を肯定し、Ｓ１２の直前へ進む。
【００６２】
仮に、自機２に入力された電話番号８１８５６２２３０４５の近似電話番号が８１８５６であり、それに対応するＩＰアドレスが無ければ（図３参照）、制御部９はＳ７の判定を否定する。
【００６３】
次に、制御部９は、任意の他機のＩＰアドレス（例えば、図３に示された１３４．１８０．２３１．１００）を検索し、そのＩＰアドレス先にアクセスする（Ｓ８参照）。
【００６４】
そして制御部９は、この他機（上記アドレスを持つ）が、より新しい分散データを持っているか否かを判定する（Ｓ９参照）。
【００６５】
仮に、より新しい分散データを持っていなければ、制御部９はＳ９を否定し、再び、任意の他機のＩＰアドレス（たとえば、図３に示された１９４．１０．３３．１５５）を検索し、そのＩＰアドレス先にアクセスする（Ｓ８参照）。
【００６６】
そして制御部９は、この他機が、より新しい分散データを持っているか否かを判定する（Ｓ９参照）。この様にして、制御部９は、Ｓ８とＳ９を、規定回数だけ繰り返す。
【００６７】
また、規定回数だけ繰り返しても、制御部９がＳ９の判定を否定した場合は、制御部９は目的ＩＰアドレス取得不能と認識する（Ｓ１６参照）。
【００６８】
また、繰り返しが規定回数に至るまでに、制御部９がＳ９の判定を肯定したとする。次に制御部９は、Ｓ９で肯定した「より新しい分散データ」を持つ他機内の分散データを検索する（Ｓ１０参照）。
【００６９】
そして制御部９は、上記分散データ中に、ＩＰアドレスが有るか否かを検索する（Ｓ１１参照）。仮に、ＩＰアドレスが無ければ、制御部９はＳ８〜Ｓ１１の動作を規定回数だけ繰り返し、規定回数繰り返しても無ければ、目的ＩＰアドレス取得不能と認識する（Ｓ１６参照）。
【００７０】
また、繰り返しが規定回数に至るまでに、制御部９がＳ１１の判定を肯定すると、制御部９は、Ｓ７で得た、又はＳ１１で得た、ＩＰアドレスを持つ他機の組合せデータ（図３参照）を検索する（Ｓ１２参照）。
【００７１】
次に制御部９は、上記他機において、組合せデータが有るか否かを判定する（Ｓ１３参照）。仮に、組合せデータが無ければ、制御部９は、Ｓ１３の判定を否定し目的ＩＰアドレス取得不能と認識する。
【００７２】
仮に、組合せデータが有れば、制御部９はＳ１３の判定を肯定し、ＩＰアドレスが有るか無いかを判定する（Ｓ１４参照）。もしも、Ｓ１３で入手した組合せデータ（図３参照）において、自機２に入力された電話番号８１８５６２２３０４５と、それに対応するＩＰアドレスのデータが有れば、制御部９は、上記ＩＰアドレスを、目的アドレスとして、取得する（Ｓ１５参照）。
【００７３】
また、Ｓ１３で入手した組合せデータ（図３参照）において、電話番号８１８５６２２３０４５と、それに対応するＩＰアドレスが無ければ、制御部９はＳ１４の判定を否定し、Ｓ１６を行う。
【００７４】
以上の動作の特徴を、以下にまとめる。自機２の電話番号が入力された場合、自機２は、この電話番号の近似電話番号を基に、自機２の分散データを検索し（図５のＳ５参照）、他機４，５の分散データを検索する（Ｓ１０参照）。そして自機２は組合せデータを検索する（Ｓ１２参照）事により、上記電話番号に対応するＩＰアドレスを取得する。
【００７５】
次に、図６のフローチャートに従い、この通信システム１における、「通信ネットワーク３にアクセスし始めた時」の動作を説明する。
【００７６】
最初に、自機２の制御部９は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ（図示せず）に、自機２を接続させる（図６のＳ１参照）。そして制御部９は、ＤＨＣＰサーバから、自機２のＩＰアドレスを取得する（Ｓ２参照）。
【００７７】
次に制御部９は、自機２と同じ近似電話番号２３を有する他機４，５のＩＰアドレス、すなわち、組合せデータ２１（図３参照）を検索する（Ｓ３参照）。
【００７８】
制御部９は、上記組合せデータ２１が有るか否かを判定する（Ｓ４参照）。仮に、上記組合せデータ２１がない場合、制御部９はＳ４の判定を否定し、Ｓ７の直前に進む。また、上記組合せデータ２１がある場合、制御部９はＳ４の判定を肯定する。
【００７９】
次に制御部９は、Ｓ３とＳ４で見つけた他機４，５から、組合せデータ２１と、分散データ２２を、自機２内に、更新し、コピーする（Ｓ５参照）。
【００８０】
そして制御部９は、コピーが成功か否かを判定する（Ｓ６参照）。仮に、コピーが失敗したら、制御部９はＳ６の判定を否定し、Ｓ７の直前へ進む。
【００８１】
仮に、コピーが成功したら、制御部９は、Ｓ６の判定を肯定する。そして制御部９は、自機２内の組合せデータ２１内と、Ｓ３〜Ｓ９（後述）で見つけた同近似クラス内の規定数以上を越える他機４，５の組合せデータ２１内において、自機２のＩＰアドレスと、電話番号を登録させる（Ｓ１３参照）。
【００８２】
次に制御部９は、他機４，５に対し、上記登録が成功したか否かを判定する（Ｓ１４参照）。仮に、上記判定を肯定すれば、制御部９は待機状態となる（Ｓ１６参照）。もしも、制御部９が上記判定を否定すれば、制御部９はエラー状態となる（Ｓ１５参照）。
【００８３】
また制御部９は、Ｓ６において、コピーが失敗したと判定すると、ランダムなＩＰアドレスに対し、接続要求し、互換性がある他機を既定数の範囲内で検索する（Ｓ７参照）。
【００８４】
即ち、自機２のデータベースを頼よりとした他機４，５の参照が出来なかった場合、自機２の制御部９は、通信ネットワーク３上のＩＰアドレスに対し、手当たりしだいに、問い合わせを実行する。規定数には範囲を持たせ、何台以上何台以下としておく。但し、Ｓ７〜Ｓ１１（後述）ループの２回目以降においてはＩＰアドレスに選択的な問い合わせを行うものとする。
【００８５】
次に制御部９は、既定時間内に発見が成功したか否かを判定する（Ｓ８参照）。制御部９はＳ８の判定を否定すると、制御部９はエラー状態に設定する（Ｓ１５参照）。
【００８６】
そして制御部９は、Ｓ８の判定を肯定すると、Ｓ７とＳ８で見つけた他機４，５から分散データを、自機２内に更新し、コピーする（Ｓ９参照）。
【００８７】
次に制御部９は、Ｓ９で得た分散データから、自機２と同じ近似電話番号を持つ他機のＩＰアドレスを参照する（Ｓ１０参照）。
【００８８】
そして制御部９は上記分散データにおいて、目標とする他機のＩＰアドレスが有るか否かを判定する（Ｓ１１参照）。制御部９がＳ１１の判定を否定すると、制御部９がＳ７〜Ｓ１２の動作を規定回数だけ繰り返す。規定回数繰り返した後制御部９はエラー状態に設定する（Ｓ１５参照）。
【００８９】
仮に、制御部９は，上記動作を繰り返す前に、Ｓ１１の判定を肯定したものとする。この時、制御部９は、Ｓ８とＳ９で見付けた他機から、組合せデータを、自機２内に更新し、コピーする（Ｓ１２参照）。
【００９０】
上記動作の特徴を、以下にまとめる。自機２は、通信ネットワーク３に対し、アクセスが開始された時点において、該時点での新しい分散データおよび組合せデータを他機からコピーし、かつ、近似電話番号を有する他機に対し、自機２の電話番号およびＩＰアドレスを登録させ、かつ、近似電話番号を有しない他機に対し、所定時間毎に、互いの分散データを相互に更新する。
【００９１】
なお、上記説明では述べなかったが、自機２は、特定の範囲の近似電話番号への発呼が多いことを認識した場合、前記特定の範囲にける分散データおよび組合せデータを、別途に記憶し、又は、上記両データを上書きして、記憶しても良い。
【００９２】
【発明の効果】
請求項１の本発明では、電話機能部と、制御部と、記憶部とを各々有し、自機と他機からなる複数の端末と、各端末に接続された通信ネットワークとを備え、各端末は、各端末の近似電話番号と、該近似電話番号の範囲に属する端末のＩＰアドレスとからなる分散データを、各々分割して記憶し、自機の近似電話番号の範囲に属する端末の電話番号と、該電話番号に対応するＩＰアドレスとからなる組合せデータを記憶する。上記構成により、各端末は分散データを各々分割して記憶しているので、全体のデータ量が大きくとも、各端末が負担する分散データの量は少なくて済む。その結果、容量の小さい記憶部を用いることができ、コストが安くなる。また従来の様に、ＩＳＤＮ回線の使用料および参照サーバの使用料を支払う必要が無い。
【００９３】
請求項２の本発明では、前記自機に電話番号が入力された場合、前記自機は、前記電話番号の近似電話番号を基に、自機の分散データ又は他機の分散データを検索し前記組合せデータを検索する事により、前記電話番号に対応するＩＰアドレスを取得する。上記構成により、より確実に、より早く，目標とするＩＰアドレスを取得できる。
【００９４】
請求項３の本発明では、前記端末は、前記近似電話番号に属する端末の数が所定数を越えた場合、前記近似電話番号の範囲を分割し、前記近似電話番号を変更し、前記分散データを変更し、変更された近似電話番号以外の端末に対し、前記変更された分散データを更新させる。上記構成により、近似電話番号の範囲に属する端末の個数を所望の数の範囲に自動的に制御するので、端末の全体的な数が増えても、個々の端末が負担するデータ量は、略同一となる。
【００９５】
請求項４の本発明では、前記端末と互換性がある機器が前記通信ネットワークに接続され、前記端末および前記機器は、前記分散データを各々分割して記憶し、前記組合せデータを記憶する。上記構成により、これらの端末が出荷開始時でも端末と機器との間で、各データを分割し、運用するので、通信ネットワークを介して、十分に通信が成り立つ。
【００９６】
請求項５の本発明では、新規の端末は、前記端末および前記機器が保有し、かつ、仕向け先地に適合した分散データおよび組合せデータを、出荷前に、予め記憶される。上記構成により、端末のスムーズな設置と、通信ネットワーク上の負担を軽減できる。
【００９７】
請求項６の本発明では、前記自機は、前記通信ネットワークに対し、アクセスが開始された時点において、該時点での新しい分散データおよび組合せデータを前記他機からコピーし、かつ、前記近似電話番号を有する他機に対し、前記自機の電話番号およびＩＰアドレスを登録させ、かつ、前記近似電話番号を有しない他機に対し所定時間毎に、互いの分散データを相互に更新する。上記構成により、自機および他機のデータを常に更新させる事により、不定期的な接続での分散型システムでありながら、データの応答速度を高め、データの信頼性を高める事ができる。
【００９８】
請求項７の本発明では、前記自機は、特定の範囲の近似電話番号への発呼が多いことを認識した場合に、前記特定の範囲における分散データおよび組合せデータを別途に記憶し、又は、上記両データを上書きして記憶する。上記構成により引越しした人が、引越し前の地域への通話が多い場合や、企業のサービスセンター等から、ある特定の地方都市へ集中的に通話する場合等に、利便性が向上する。
【図面の簡単な説明】
【図１】本発明の実施の形態に係る通信システム１の概略図である。
【図２】上記通信システム１に用いられる端末８のブロック図である。
【図３】上記端末８に記憶されたデータを示す図面である。
【図４】上記通信システム１における、発呼動作を説明するためのフローチャートである。
【図５】上記通信システム１における、ＩＰアドレスを取得する動作を説明するためのフローチャートである。
【図６】上記通信システム１における、通信ネットワーク３にアクセスし始めた時の動作を説明するためのフローチャートである。
【符号の説明】
８  端末
９  制御部
１２  記憶部
１３  電話機能部
【図１】
2004336362.tif 000003
【図２】
2004336362.tif 000004
【図３】
2004336362.tif 000005
【図４】
2004336362.tif 000006
【図５】
2004336362.tif 000007
【図６】
2004336362.tif 000008